【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】
ストリームデータと、前記ストリームデータの属性を示す属性情報と、を複数記憶している記憶手段と、
ユーザ端末からコンテンツ要求情報を受け付ける受付手段と、
前記受付手段により受け付けたコンテンツ要求情報に応じて、前記記憶手段から複数のストリームデータを抽出する抽出手段と、
前記抽出手段において、抽出された複数のストリームデータを一連のストリームデータとなるように結合する際に、ストリームデータ間の結合部分について、結合する２つのストリームデータに対応する属性情報を参照し、いずれか一方の属性情報のみが特定属性のストリームデータであれば、当該２つのストリームデータの結合部分にトランジション効果を付加することを決定する決定手段と、
前記抽出手段において、抽出された複数のストリームデータを一連のストリームデータとなるように結合し、前記決定手段で、前記トランジション効果を付加するという決定がなされた結合部分に、前記トランジション効果を付加する結合手段と、
前記結合手段により結合されたストリームデータを前記ユーザ端末宛に配信する配信手段と、
を備えることを特徴とするコンテンツ配信システム。
【請求項２】
前記特定属性は、ストリームデータがＣＭであることを示すＣＭ属性であることを特徴とする請求項1記載のコンテンツ配信システム。
【請求項３】
前記コンテンツ要求情報には、ユーザが要求するコンテンツに対してユーザが支払う金額を示す代金情報が含まれ、
前記代金情報に応じて前記記憶手段から抽出する前記ＣＭ属性のストリームデータの数を設定する設定手段を更に備え、
前記抽出手段は、前記ＣＭ属性のストリームデータを前記設定手段により設定された数だけ前記記憶手段から抽出する、
ことを特徴とする請求項２記載のコンテンツ配信システム。
【請求項４】
前記記憶手段には、前記トランジション効果の種類を識別する識別情報が前記ＣＭ属性でない各ストリームデータに対応付けて記憶されており、
前記結合手段は、前記決定手段で、前記トランジション効果を付加するという決定がなされた結合部分に、結合する２つのストリームデータのうちＣＭ属性でないストリームデータと対応付けられている識別情報により示されるトランジション効果を付加する、
ことを特徴とする請求項３記載のコンテンツ配信システム。
【請求項５】
各ユーザの個人情報を記憶している個人情報記憶手段と、
前記個人情報に応じて付加する前記トランジション効果の種類を選択する選択手段と、を更に備え、
前記結合手段は、前記決定手段で、前記トランジション効果を付加するという決定がなされた結合部分に、前記選択手段により選択された前記トランジション効果を付加する、
ことを特徴とする請求項１乃至３のうちいずれか１項記載のコンテンツ配信システム。
【請求項６】
前記記憶手段は、ＣＭ属性でないストリームデータに、ＣＭの挿入が許容される当該ストリームデータ再生時間軸上の位置を示す位置情報が対応付けて記憶されており、
前記結合手段は、前記位置情報が示す位置に優先的にＣＭ属性のストリームデータを挿入結合する、
ことを特徴とする請求項１乃至５のうちいずれか１項記載のコンテンツ配信システム。
【請求項７】
前記コンテンツ要求情報には、ユーザが要求するコンテンツに関連するキーワード情報が含まれ、
前記記憶手段は、記憶している各ストリームデータに関連するキーワードを、当該ストリームデータに対応付けて記憶しており、
前記キーワード情報に基づいて当該キーワードと関連するストリームデータを前記記憶手段から検索する検索手段を更に備え、
前記抽出手段は、前記検索手段により検出されたストリームデータを前記記憶手段から抽出する、
ことを特徴とする請求項１乃至６のうちいずれか１項記載のコンテンツ配信システム。
【請求項８】
ユーザ端末からコンテンツ要求情報を受け付ける受付ステップと、
前記受付ステップにおいて受け付けたコンテンツ要求情報に応じて、ストリームデータと、前記ストリームデータの属性を示す属性情報と、を複数記憶している記憶手段から複数のストリームデータを抽出する抽出ステップと、
前記抽出ステップにおいて抽出された複数のストリームデータを一連のストリームデータとなるように結合する際に、ストリームデータ間の結合部分について、結合する２つのストリームデータに対応する属性情報を参照し、いずれか一方の属性情報のみが特定属性のストリームデータであれば、当該２つのストリームデータの結合部分にトランジション効果を付加することを決定する決定ステップと、
前記抽出ステップにおいて抽出された複数のストリームデータを結合し、前記決定ステップで、前記トランジション効果を付加するという決定がなされた結合部分に、前記トランジション効果を付加する結合ステップと、
前記結合ステップにおいて結合されたストリームデータを前記ユーザ端末宛に配信する配信ステップと、
を含むことを特徴とするコンテンツ配信方法。
【請求項９】
ＣＰＵを備えたコンテンツ配信システムに用いられるコンピュータプログラムであって、
ユーザ端末からコンテンツ要求情報を受け付ける受付ステップと、
前記受付ステップにおいて受け付けたコンテンツ要求情報に応じて、ストリームデータと、前記ストリームデータの属性を示す属性情報と、を複数記憶している記憶手段から複数のストリームデータを抽出する抽出ステップと、
前記抽出ステップにおいて抽出された複数のストリームデータを一連のストリームデータとなるように結合する際に、ストリームデータ間の結合部分について、結合する２つのストリームデータに対応する属性情報を参照し、いずれか一方の属性情報のみが特定属性のストリームデータであれば、当該２つのストリームデータの結合部分にトランジション効果を付加することを決定する決定ステップと、
前記抽出ステップにおいて抽出された複数の前記ストリームデータを結合し、前記決定ステップで、前記トランジション効果を付加するという決定がなされた結合部分に前記トランジション効果を付加する結合ステップと、
前記結合ステップにおいて結合されたストリームデータを前記ユーザ端末宛に配信する配信ステップと、
を含むことを特徴とするコンピュータプログラム。
【請求項１０】
請求項９記載のコンピュータプログラムを記録した記録媒体。
【手続補正２】
【補正対象書類名】明細書
【補正対象項目名】０００６
【補正方法】変更
【補正の内容】
【０００６】
【課題を解決するための手段】
上記の目的を達成するために、本発明に係るコンテンツ配信システムは、ストリームデータと、前記ストリームデータの属性を示す属性情報と、を複数記憶している記憶手段と、ユーザ端末からコンテンツ要求情報を受け付ける受付手段と、前記受付手段により受け付けたコンテンツ要求情報に応じて、前記記憶手段から複数のストリームデータを抽出する抽出手段と、前記抽出手段において、抽出された複数のストリームデータを一連のストリームデータとなるように結合する際に、ストリームデータ間の結合部分について、結合する２つのストリームデータに対応する属性情報を参照し、いずれか一方の属性情報のみが特定属性のストリームデータであれば、当該２つのストリームデータの結合部分にトランジション効果を付加することを決定する決定手段と、前記抽出手段において、抽出された複数のストリームデータを一連のストリームデータとなるように結合し、前記決定手段で、前記トランジション効果を付加するという決定がなされた結合部分に、前記トランジション効果を付加する結合手段と、前記結合手段により結合されたストリームデータを前記ユーザ端末宛に配信する配信手段とを備えることを特徴とする。
【手続補正３】
【補正対象書類名】明細書
【補正対象項目名】０００８
【補正方法】変更
【補正の内容】
【０００８】
この構成により、番組データとＣＭデータとを結合するという条件の下では、トランジション効果がその結合部分に付加されるので、番組からＣＭへの切替がスムーズになり、コンテンツを視聴するユーザを不快にさせなくすることができる。
また、本発明に係るコンテンツ配信方法は、ユーザ端末からコンテンツ要求情報を受け付ける受付ステップと、前記受付ステップにおいて受け付けたコンテンツ要求情報に応じて、ストリームデータと、前記ストリームデータの属性を示す属性情報と、を複数記憶している記憶手段から複数のストリームデータを抽出する抽出ステップと、前記抽出ステップにおいて抽出された複数のストリームデータを一連のストリームデータとなるように結合する際に、ストリームデータ間の結合部分について、結合する２つのストリームデータに対応する属性情報を参照し、いずれか一方の属性情報のみが特定属性のストリームデータであれば、当該２つのストリームデータの結合部分にトランジション効果を付加することを決定する決定ステップと、前記抽出ステップにおいて抽出された複数のストリームデータを結合し、前記決定ステップで、前記トランジション効果を付加するという決定がなされた結合部分に、前記トランジション効果を付加する結合ステップと、前記結合ステップにおいて結合されたストリームデータを前記ユーザ端末宛に配信する配信ステップとを含むことを特徴とする。
【手続補正４】
【補正対象書類名】明細書
【補正対象項目名】００４５
【補正方法】変更
【補正の内容】
【００４５】
【発明の効果】
以上の説明から明らかなように、本発明に係るコンテンツ配信システムは、ストリームデータと、前記ストリームデータの属性を示す属性情報と、を複数記憶している記憶手段と、ユーザ端末からコンテンツ要求情報を受け付ける受付手段と、前記受付手段により受け付けたコンテンツ要求情報に応じて、前記記憶手段から複数のストリームデータを抽出する抽出手段と、前記抽出手段において、抽出された複数のストリームデータを一連のストリームデータとなるように結合する際に、ストリームデータ間の結合部分について、結合する２つの前記ストリームデータに対応する属性情報を参照し、いずれか一方の属性情報のみが特定属性のストリームデータであれば、当該２つのストリームデータの結合部分にトランジション効果を付加することを決定する決定手段と、前記抽出手段において、抽出された複数のストリームデータを一連のストリームデータとなるように結合し、前記決定手段で、前記トランジション効果を付加するという決定がなされた結合部分に前記トランジション効果を付加する結合手段と、前記結合手段により結合されたストリームデータを前記ユーザ端末宛に配信する配信手段とを備えることを特徴とする。
【手続補正５】
【補正対象書類名】明細書
【補正対象項目名】００４６
【補正方法】変更
【補正の内容】
【００４６】
これにより、番組データとＣＭデータとを結合するという条件の下では、トランジション効果がその結合部分に付加されるので、番組からＣＭへの切替がスムーズになり、コンテンツを視聴するユーザを不快にさせなくすることができる。
【手続補正６】
【補正対象書類名】明細書
【補正対象項目名】００４７
【補正方法】変更
【補正の内容】
【００４７】
更に、結合する２つのストリームデータのうちいずれか一方のみがＣＭ属性のストリームデータであれば、トランジション効果がその結合部分に付加されるので、番組とＣＭへの切替がスムーズになり、コンテンツを視聴するユーザを不快にさせなくすることができる。
また、前記特定属性は、ストリームデータがＣＭであることを示すＣＭ属性であり、前記コンテンツ要求情報には、ユーザが要求するコンテンツに対してユーザが支払う金額を示す代金情報が含まれ、前記代金情報に応じて前記記憶手段から抽出する前記ＣＭ属性のストリームデータの数を設定する設定手段を更に備え、前記抽出手段は、前記ＣＭ属性のストリームデータを前記設定手段により設定された数だけ前記記憶手段から抽出することとしてもよい。